(57)【要約】      （修正有）【課題】靴が長時間に着用されていないとき、靴の表面が沈まないようにするためにシューキーパーで支える装置を提供する。【解決手段】靴箱１１を含み、前記靴箱の中には収納チャンバ１２が設置され、前記収納チャンバの環状外側端面には排列するように分布される左右に対称的な十二個のスライド溝１９が設置され、前記スライド溝の中にはスイッチ装置９０１がスライドできるように連結され、前記スイッチ装置の中には靴を固定できる挟み装置が設置され、前記スイッチ装置が移動するとき、前記挟み装置に対する制限を解除でき、前記収納チャンバの中には左右に伸びている伝動軸１３が回転できるように連結され、前記収納チャンバの中には取り出しチャンバ２７が連通するように設置され、前記取り出しチャンバが前記収納チャンバの環状側の内壁を縦方向に切断する。【選択図】図１
2020182765.tif 000002
【特許請求の範囲】
【請求項１】
正面視で、靴箱を含み、前記靴箱の中には収納チャンバが設置され、前記収納チャンバの環状外側端面には排列するように分布される左右に対称的な十二個のスライド溝が設置され、前記スライド溝の中にはスイッチ装置がスライドできるように連結され、前記スイッチ装置の中には靴を固定できる挟み装置が設置され、前記スイッチ装置が移動するとき、前記挟み装置に対する制限を解除でき、前記収納チャンバの中には左右に伸びている伝動軸が回転できるように連結され、前記収納チャンバの中には取り出しチャンバが連通するように設置され、前記取り出しチャンバが前記収納チャンバの環状側の内壁を縦方向に切断し、前記取り出しチャンバが靴の出し入れに作業空間を提供し、前記伝動軸には前記取り出しチャンバの中に位置しており、且つ左右に対称的な回転輪が設置され、前記回転輪には六つの支持ロッドが環状に排列するように分布され、前記支持ロッドにおいて円心から離れている一端には充填装置が設置され、前記充填装置の中には前記充填装置によって制御されるシワ防止装置が設置され、前記充填装置により靴表面が沈むことを防止し、前記シワ防止装置により靴のかかとのシワを防止し、前記伝動軸の右端には前記収納チャンバの右端内壁の中に位置しているモータが伝動できるように連結され、前記伝動軸には前記回転輪の間に位置している環状仕切板が設置され、前記環状仕切板が前記挟み装置の回転を制限することを特徴とする靴好き用リュックサック。
【請求項２】
前記スイッチ装置は前記スライド溝とスライドできるように連結される伸縮板を含み、前記伸縮板において対称中心から離れている一端の端面と前記スライド溝において対称中心から離れている側の内壁との間には圧縮ばねが連結され、前記スライド溝の反時計回り側の内壁にはロック溝が連通するように設置され、前記伸縮板にはピンが設置され、前記ピンにはスライド板が設置され、前記スライド板の中には対称中心側に開口し、且つ上向きの回転溝が設置され、前記回転溝の中には弧形板が回転できるように連結され、前記挟み装置が前記弧形板の中に位置していることを特徴とする請求項１に記載の靴好き用リュックサック。
【請求項３】
下側の前記挟み装置を例とし、前記挟み装置は前記弧形板の中に設置されるＴ形スライド溝を含み、前記Ｔ形スライド溝の間が閉じられて円心スライドレールを生成し、前記Ｔ形スライド溝の中には左右に対称的な掛けスライドブロックがスライドできるように連結され、前記掛けスライドブロックの下端には挟み板が固定的に連結され、前記挟み板において円心に近接している端の端面には左右に対称的な収納溝が設置され、前記収納溝の中には挟み爪がスライドできるように連結され、前記挟み爪と前記収納溝との間には抵抗ばねが連結されることを特徴とする請求項１又は請求項２に記載の靴好き用リュックサック。
【請求項４】
前記充填装置は前記支持ロッドにおいて円心に離れている端と固定的に連結される定型ブロックを含み、前記定型ブロックの中には反時計回り側に開口した伝動チャンバが設置され、前記伝動チャンバの時計回り側にはプッシュロッドがスライドできるように連結され、前記プッシュロッドには前記伝動チャンバの外側に位置している押圧ブロックが設置され、前記押圧ブロックと前記伝動チャンバの外端端面との間には復帰ばねが連結され、前記プッシュロッドには抜き穴が連通するように設置され、前記伝動チャンバにおいて円心側に近接している内壁には前記抜き穴とスライドできるように連結されるスライドロッドがスライドできるように連結され、前記伝動チャンバの頂端内壁には前記伝動チャンバの開口を覆える回転板が回転できるように連結され、前記回転板にはスライドチャンバが設置され、前記シワ防止装置が前記スライドチャンバの中に位置していることを特徴とする請求項１に記載の靴好き用リュックサック。
【請求項５】
前記シワ防止装置は前記支持ロッドに設置される昇降溝を含み、前記昇降溝が前記スライドロッドとスライドできるように連結されることができ、前記昇降溝の反時計回り側内壁には開口溝が連通するように設置され、前記開口溝には回転ロッドが回転できるように連結され、前記回転ロッドの時計回り端には連通溝が連通するように設置され、前記連通溝の中には前記スライドロッドと固定的に連結される固定ピンがスライドできるように連結され、前記スライドチャンバの中には上げブロックがスライドできるように連結され、前記上げブロックにおいて円心に近接している端と前記回転ロッドの反時計回り側との間には引き紐が固定的に連結されることを特徴とする請求項１又は請求項４に記載の靴好き用リュックサック。
【発明の詳細な説明】
【技術分野】
【０００１】
本発明はバッグ分野を取り上げて、具体的には靴好き用リュックサックである。
【背景技術】
【０００２】
スポーツシューズコレクションにおける高価なスポーツシューズに対し、より大きな意義はコレクションであり、しかし、運輸する過程では、既存の携帯方式は紙製の靴箱しかなく、押されると靴に損傷を与え、また、靴が長時間に着用されていないとき、靴の表面が沈まないようにするためにシューキーパーで支える必要があり、しかし、普通の靴箱では実現できなく、本発明は上記の問題を解決できる装置を開示する。
【先行技術文献】
【特許文献】
【０００３】
【特許文献１】中国特許出願公開第１０４８２４９２０号明細書
【発明の概要】
【発明が解決しようとする課題】
【０００４】
本発明の目的は靴好き用リュックサックを提供し、それは上記の現在の技術中の問題を解決できる。
【課題を解決するための手段】
【０００５】
本発明の靴好き用リュックサックは、靴箱を含み、前記靴箱の中には収納チャンバが設置され、前記収納チャンバの環状外側端面には排列するように分布される左右に対称的な十二個のスライド溝が設置され、前記スライド溝の中にはスイッチ装置がスライドできるように連結され、前記スイッチ装置の中には靴を固定できる挟み装置が設置され、前記スイッチ装置が移動するとき、前記挟み装置に対する制限を解除でき、前記収納チャンバの中には左右に伸びている伝動軸が回転できるように連結され、前記収納チャンバの中には取り出しチャンバが連通するように設置され、前記取り出しチャンバが前記収納チャンバの環状側の内壁を縦方向に切断し、前記取り出しチャンバが靴の出し入れに作業空間を提供し、前記伝動軸には前記取り出しチャンバの中に位置しており、且つ左右に対称的な回転輪が設置され、前記回転輪には六つの支持ロッドが環状に排列するように分布され、前記支持ロッドにおいて円心から離れている一端には充填装置が設置され、前記充填装置の中には前記充填装置によって制御されるシワ防止装置が設置され、前記充填装置により靴表面が沈むことを防止し、前記シワ防止装置により靴のかかとのシワを防止し、前記伝動軸の右端には前記収納チャンバの右端内壁の中に位置しているモータが伝動できるように連結され、前記伝動軸には前記回転輪の間に位置している環状仕切板が設置され、前記環状仕切板が前記挟み装置の回転を制限する。
【０００６】
優選的には、前記スイッチ装置は前記スライド溝とスライドできるように連結される伸縮板を含み、前記伸縮板において対称中心から離れている一端の端面と前記スライド溝において対称中心から離れている側の内壁との間には圧縮ばねが連結され、前記スライド溝の反時計回り側の内壁にはロック溝が連通するように設置され、前記伸縮板にはピンが設置され、前記ピンにはスライド板が設置され、前記スライド板の中には対称中心側に開口し、且つ上向きの回転溝が設置され、前記回転溝の中には弧形板が回転できるように連結され、前記挟み装置が前記弧形板の中に位置しており、前記伸縮板をスライドさせて伸ばすことにより、前記取り出しチャンバの開閉状態変化を実現する。
【０００７】
優選的には、下側の前記挟み装置を例とし、前記挟み装置は前記弧形板の中に設置されるＴ形スライド溝を含み、前記Ｔ形スライド溝の間が閉じられて円心スライドレールを生成し、前記Ｔ形スライド溝の中には左右に対称的な掛けスライドブロックがスライドできるように連結され、前記掛けスライドブロックの下端には挟み板が固定的に連結され、前記挟み板において円心に近接している端の端面には左右に対称的な収納溝が設置され、前記収納溝の中には挟み爪がスライドできるように連結され、前記挟み爪と前記収納溝との間には抵抗ばねが連結され、前記挟み爪により靴の固定を補助する。
【０００８】
優選的には、前記充填装置は前記支持ロッドにおいて円心に離れている端と固定的に連結される定型ブロックを含み、前記定型ブロックの中には反時計回り側に開口した伝動チャンバが設置され、前記伝動チャンバの時計回り側にはプッシュロッドがスライドできるように連結され、前記プッシュロッドには前記伝動チャンバの外側に位置している押圧ブロックが設置され、前記押圧ブロックと前記伝動チャンバの外端端面との間には復帰ばねが連結され、前記プッシュロッドには抜き穴が連通するように設置され、前記伝動チャンバにおいて円心側に近接している内壁には前記抜き穴とスライドできるように連結されるスライドロッドがスライドできるように連結され、前記伝動チャンバの頂端内壁には前記伝動チャンバの開口を覆える回転板が回転できるように連結され、前記回転板にはスライドチャンバが設置され、前記シワ防止装置が前記スライドチャンバの中に位置しており、前記定型ブロックと前記押圧ブロックとにより靴の表面を支持する。
【０００９】
優選的には、前記シワ防止装置は前記支持ロッドに設置される昇降溝を含み、前記昇降溝が前記スライドロッドとスライドできるように連結されることができ、前記昇降溝の反時計回り側内壁には開口溝が連通するように設置され、前記開口溝には回転ロッドが回転できるように連結され、前記回転ロッドの時計回り端には連通溝が連通するように設置され、前記連通溝の中には前記スライドロッドと固定的に連結される固定ピンがスライドできるように連結され、前記スライドチャンバの中には上げブロックがスライドできるように連結され、前記上げブロックにおいて円心に近接している端と前記回転ロッドの反時計回り側との間には引き紐が固定的に連結され、前記回転ロッドと前記上げブロックとにより上げ動作を行い靴のかかとのシワを取る。
【発明の効果】
【００１０】
本発明の有益的な効果は：本発明は左右足の靴を単独的に処理し、また靴の内部にある空きチャンバにより硬い面構造の補充を行い、靴の内部空間を支持し、靴の表面が沈むことを防止し、また自動的に充填過程における靴のかかとの折畳み現象を直し、最大限に靴を保護する。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の靴好き用リュックサックの全体構造概略図
【図２】図２は図１のＡ―Ａの構造概略図
【図３】図３は図２の充填装置の構造概略図
【図４】図４は図２のＢ―Ｂの構造概略図
【図５】図５は図１のＣ―Ｃの構造概略図
【図６】図６は図５のＤ―Ｄの構造概略図
【発明を実施するための形態】
【００１３】
本発明の靴好き用リュックサックは、靴箱１１を含み、前記靴箱１１の中には収納チャンバ１２が設置され、前記収納チャンバ１２の環状外側端面には排列するように分布される左右に対称的な十二個のスライド溝１９が設置され、前記スライド溝１９の中にはスイッチ装置９０１がスライドできるように連結され、前記スイッチ装置９０１の中には靴を固定できる挟み装置９０２が設置され、前記スイッチ装置９０１が移動するとき、前記挟み装置９０２に対する制限を解除でき、前記収納チャンバ１２の中には左右に伸びている伝動軸１３が回転できるように連結され、前記収納チャンバ１２の中には取り出しチャンバ２７が連通するように設置され、前記取り出しチャンバ２７が前記収納チャンバ１２の環状側の内壁を縦方向に切断し、前記取り出しチャンバ２７が靴の出し入れに作業空間を提供し、前記伝動軸１３には前記取り出しチャンバ２７の中に位置しており、且つ左右に対称的な回転輪１４が設置され、前記回転輪１４には六つの支持ロッド１５が環状に排列するように分布され、前記支持ロッド１５において円心から離れている一端には充填装置９０３が設置され、前記充填装置９０３の中には前記充填装置９０３によって制御されるシワ防止装置９０４が設置され、前記充填装置９０３により靴表面が沈むことを防止し、前記シワ防止装置９０４により靴のかかとのシワを防止し、前記伝動軸１３の右端には前記収納チャンバ１２の右端内壁の中に位置しているモータ１７が伝動できるように連結され、前記伝動軸１３には前記回転輪１４の間に位置している環状仕切板２８が設置され、前記環状仕切板２８が前記挟み装置９０２の回転を制限する。
【００１４】
有益的には、前記スイッチ装置９０１は前記スライド溝１９とスライドできるように連結される伸縮板２０を含み、前記伸縮板２０において対称中心から離れている一端の端面と前記スライド溝１９において対称中心から離れている側の内壁との間には圧縮ばね１８が連結され、前記スライド溝１９の反時計回り側の内壁にはロック溝４９が連通するように設置され、前記伸縮板２０にはピン２１が設置され、前記ピン２１にはスライド板２２が設置され、前記スライド板２２の中には対称中心側に開口し、且つ上向きの回転溝２３が設置され、前記回転溝２３の中には弧形板２４が回転できるように連結され、前記挟み装置９０２が前記弧形板２４の中に位置しており、前記伸縮板２０をスライドさせて伸ばすことにより、前記取り出しチャンバ２７の開閉状態変化を実現する。
【００１５】
有益的には、下側の前記挟み装置９０２を例とし、前記挟み装置９０２は前記弧形板２４の中に設置されるＴ形スライド溝２９を含み、前記Ｔ形スライド溝２９の間が閉じられて円心スライドレールを生成し、前記Ｔ形スライド溝２９の中には左右に対称的な掛けスライドブロック３０がスライドできるように連結され、前記掛けスライドブロック３０の下端には挟み板２５が固定的に連結され、前記挟み板２５において円心に近接している端の端面には左右に対称的な収納溝３１が設置され、前記収納溝３１の中には挟み爪３２がスライドできるように連結され、前記挟み爪３２と前記収納溝３１との間には抵抗ばね３３が連結され、前記挟み爪３２により靴の固定を補助する。
【００１６】
有益的には、前記充填装置９０３は前記支持ロッド１５において円心に離れている端と固定的に連結される定型ブロック１６を含み、前記定型ブロック１６の中には反時計回り側に開口した伝動チャンバ４０が設置され、前記伝動チャンバ４０の時計回り側にはプッシュロッド４２がスライドできるように連結され、前記プッシュロッド４２には前記伝動チャンバ４０の外側に位置している押圧ブロック３８が設置され、前記押圧ブロック３８と前記伝動チャンバ４０の外端端面との間には復帰ばね３９が連結され、前記プッシュロッド４２には抜き穴４１が連通するように設置され、前記伝動チャンバ４０において円心側に近接している内壁には前記抜き穴４１とスライドできるように連結されるスライドロッド３７がスライドできるように連結され、前記伝動チャンバ４０の頂端内壁には前記伝動チャンバ４０の開口を覆える回転板４３が回転できるように連結され、前記回転板４３にはスライドチャンバ４５が設置され、前記シワ防止装置９０４が前記スライドチャンバ４５の中に位置しており、前記定型ブロック１６と前記押圧ブロック３８とにより靴の表面を支持する。
【００１７】
有益的には、前記シワ防止装置９０４は前記支持ロッド１５に設置される昇降溝３４を含み、前記昇降溝３４が前記スライドロッド３７とスライドできるように連結されることができ、前記昇降溝３４の反時計回り側内壁には開口溝４８が連通するように設置され、前記開口溝４８には回転ロッド４７が回転できるように連結され、前記回転ロッド４７の時計回り端には連通溝３６が連通するように設置され、前記連通溝３６の中には前記スライドロッド３７と固定的に連結される固定ピン３５がスライドできるように連結され、前記スライドチャンバ４５の中には上げブロック４４がスライドできるように連結され、前記上げブロック４４において円心に近接している端と前記回転ロッド４７の反時計回り側との間には引き紐４６が固定的に連結され、前記回転ロッド４７と前記上げブロック４４とにより上げ動作を行い靴のかかとのシワを取る。
【００１８】
作動するとき、前記伸縮板２０を引き対称中心から離れている側に移動させ、また伸縮板２０を伸ばしロック溝４９の中に入らせ当接させ、このとき、スライド板２２の移動が弧形板２４を連動させて前記環状仕切板２８との間の当接制限から離脱させ、そして、弧形板２４を回転させて外側に九十度に翻転させ、また靴を挟み爪３２の間に置き、また抵抗ばね３３の弾力によりきつく挟み、そして、内部に九十度に翻転させ、またＴ形スライド溝２９を折畳み伸縮板２０を対称中心側に移動させ、このとき、モータ１７を始動し伝動軸１３により回転輪１４を回転させ、それにより支持ロッド１５を時計回りに回転させ、次の組の充填装置９０３が六分の一周に回転して前記靴の中まで回転するとき、押圧ブロック３８が靴の先端と当接し、またプッシュロッド４２をプッシュし反時計回り側に移動し、それにより回転板４３を反時計回り側に回転させ、このとき、抜き穴４１がスライドロッド３７の下端を通過し、またスライドロッド３７を下に移動させ、スライドロッド３７が固定ピン３５により回転ロッド４７を回転させ、このとき回転ロッド４７が反時計回りに回転し、引き紐４６により上げブロック４４を引き円心に近接している側に移動させ、このとき、靴のかかとに対し該過程が後方と上方向きの上げ動作を行い、シワを平らにし、最大限に靴を保護する。
【００１９】
本発明の有益的な効果は：本発明は左右足の靴を単独的に処理し、また靴の内部にある空きチャンバにより硬い面構造の補充を行い、靴の内部空間を支持し、靴の表面が沈むことを防止し、また自動的に充填過程における靴のかかとの折畳み現象を直し、最大限に靴を保護する。
【００２０】
上記の方式により、当業者は本発明と同様の範囲で運用モードに基づいて様々な変更が可能である。
【図１】
2020182765.tif 000003
【図２】
2020182765.tif 000004
【図３】
2020182765.tif 000005
【図４】
2020182765.tif 000006
【図５】
2020182765.tif 000007
【図６】
2020182765.tif 000008